(57)【要約】【課題】エネルギー使用の最小化及びワークピースのスケール除去時の最小の温度低下が達成されるように、単純な手段によってワークピースの生成を最適化すること。【解決手段】ワークピース１２を生成する装置であって、ワークピース１２のスケール除去を行うために、液体をワークピース１２の表面へ噴射するジェットノズルを有する第１のジェットノズル装置１４と、制御装置とを含んでいる前記装置において、制御装置に接続されたデータメモリが設けられており、該データメモリには、ワークピース１２についての表面プロセスモデルの目標データをメモリ可能であり、噴射される液体によってワークピース１２の表面に負荷を与える特有のエネルギー入力が、該特有のエネルギー入力と、ワークピース１２についての温度低減とがそれぞれ最小値をとるように、制御装置を用いて開ループ制御可能、好ましくは閉ループ制御可能である。
2019512398.tif 000002
【特許請求の範囲】
【請求項１】
あらかじめ設定されたタイプのワークピース（１２）、特に熱間圧延製品を生成する装置（１０）であって、前記ワークピース（１２）のスケール除去を行うために、液体（１８）、特に水を前記ワークピース（１２）の表面（２０）へ高圧下で噴射することが可能な複数のジェットノズル（１６）を有する少なくとも１つの第１のジェットノズル装置（１４；１４．１）と、制御装置（２２）とを含んでいる前記装置において、
信号技術的（２３．４）に前記制御装置（２２）に接続されたデータメモリ（２１）が設けられており、該データメモリ（２１）には、少なくとも１つのあらかじめ設定されたタイプによる前記ワークピース（１２）についての表面プロセスモデルの目標データをメモリ可能であり、スケール除去のために、前記ジェットノズル（１６）から噴射される前記液体（１８）によって前記ワークピース（１２）の表面（２０）に負荷を与える特有のエネルギー入力（Ｅ）が、該特有のエネルギー入力（Ｅ）と、これに関連する、前記ワークピース（１２）についての温度低減とがそれぞれ最小値をとるように、前記ワークピース（１２）の前記あらかじめ設定されたタイプについての前記表面プロセスモデルの前記目標データに依存して、前記制御装置（２２）を用いて開ループ制御可能、好ましくは閉ループ制御可能であることを特徴とする装置。
【請求項２】
前記ワークピース（１２）を加熱する加熱装置（２．１；２．２）と、前記ワークピース（１２）の温度を測定可能な、前記ジェットノズル装置（１４；１４．１）に隣接して、及び近傍に配置された少なくとも１つの温度測定装置とが設けられており、前記加熱装置及び前記温度測定装置が、それぞれ信号技術的に前記制御装置（２２）に接続されており、前記データメモリ（２１）には、少なくとも１つのあらかじめ設定されたタイプによる前記ワークピース（１２）についての熱的なプロセスモデルの目標データをメモリ可能であり、前記温度センサを用いて測定された前記ワークピース（１２）の温度が前記熱的なプロセスモデルの前記目標データによる目標温度と比較可能であるように、及びこの比較に基づき、前記加熱装置の温度を閉ループ制御可能であるように、前記制御装置（２２）がプログラム技術的に設置されていること、並びに好ましくは、前記加熱装置（２．１）が前記ワークピース（１２）の移動方向（Ｘ）に関して前記第１のジェットノズル装置（１４；１４．１）の上流に配置されていることを特徴とする請求項１に記載の装置（１０）。
【請求項３】
前記制御装置（２２）と信号技術的に接続された表面検査装置（２６）が設けられており、該表面検査装置が、前記ワークピース（１２）の移動方向（Ｘ）に関して前記ジェットノズル装置（１４）の下流において、該ジェットノズル装置の直近に配置されており、前記ワークピース（１２）の表面品質が、前記表面検査装置（２６）の信号に基づいて特定され、ワークピース（１２）の前記あらかじめ設定されたタイプについての前記表面プロセスモデルのあらかじめ設定された目標値と比較されるように、前記制御装置（２２）がプログラム技術的に設置されていることを特徴とする請求項１又は２に記載の装置（１０）。
【請求項４】
前記制御装置（２２）と信号技術的に接続された高圧ポンプユニット（２４）が設けられており、該高圧ポンプユニットが、前記ジェット噴射装置（１４）のジェットノズル（１６）と連通しているとともに、前記ジェットノズル（１６）へ前記液体（１８）を供給し、前記高圧ポンプユニット（２４）が、前記制御装置（２２）によって開ループ制御可能、好ましくは閉ループ制御可能であり、その結果、前記液体（１８）を前記ジェットノズル（１６）へ供給する圧力を変更可能であり、好ましくは、前記ワークピース（１２）の表面品質があらかじめ設定された目標値を上回るか、又は下回る場合に、前記ジェットノズル（１６）へ供給される前記液体（１８）についての圧力が対応して低減又は増大されることを特徴とする特に請求項３、又は請求項１〜３のいずれか１項に記載の装置（１０）。
【請求項５】
前記高圧ポンプユニット（２４）が少なくとも１つの周波数制御器（２５）を備えていることを特徴とする請求項４に記載の装置（１０）。
【請求項６】
前記ジェットノズル装置（１４；１４．１；１４．２）が前記ワークピース（１２）の表面（２０）に対して有する間隔（Ａ）を、前記制御装置（２２）を用いて開ループ制御可能、好ましくは閉ループ制御可能であり、前記ワークピース（１２）の表面品質がワークピースの前記あらかじめ設定されたタイプについての前記表面プロセスモデルのあらかじめ設定された目標値を下回る場合に、前記ワークピース（１２）の前記表面（２０）に対する前記ジェットノズル装置（１４；１４．１；１４．２）の前記間隔（Ａ）を低減可能であるか、又は前記ワークピース（１２）の表面品質がワークピース（１２）の前記あらかじめ設定されたタイプについての前記表面プロセスモデルのあらかじめ設定された目標値を維持する限り、前記ワークピース（１２）の前記表面（２０）に対する前記ジェットノズル装置（１４；１４．１，１４．２）の前記間隔（Ａ）を拡大可能であることを特徴とする請求項３〜５のいずれか１項に記載の装置（１０）。
【請求項７】
前記第１のジェットノズル装置（１４；１４．１）に隣接して配置された、複数のジェットノズル（１６）を有する第２のジェットノズル装置（１４．２）が設けられており、前記ワークピース（１２）の表面品質が前記表面プロセスモデルの前記あらかじめ設定された目標値を下回る場合に、前記第１のジェットノズル装置（１４；１４．１）に加えて前記第２のジェットノズル装置（１４．２）をオン可能であり、そして、前記ワークピース（１２）のスケール除去を行うために、前記オンされた第２のジェットノズル装置（１４．２）から液体（１８）を高圧下で前記ワークピース（１２）の表面（２０）へ噴射可能であることを特徴とする請求項３〜６のいずれか１項に記載の装置（１０）。
【請求項８】
あらかじめ設定されたタイプのワークピース（１２）、好ましくは熱間圧延製品を生成する方法であって、前記ワークピースが、複数のジェットノズル（１６）を有する少なくとも１つの第１のジェットノズル装置（１４；１４．１）に対して移動方向（Ｘ）に沿って移動し、前記ワークピース（１２）のスケール除去を行うために、液体（１８）、特に水が前記ワークピース（１２）の表面（２０）へ高圧下で噴射される、前記方法において、
制御装置（２２）が信号技術的に（２３．４）データメモリ（２１）に接続されており、該データメモリ（２１）には、少なくとも１つのあらかじめ設定されたタイプによる前記ワークピース（１２）についての表面プロセスモデルの目標データがメモリされており、スケール除去のために、前記ジェットノズル（１６）から噴射される前記液体（１８）によって前記ワークピース（１２）の表面（２０）に負荷を与える特有のエネルギー入力（Ｅ）が、該特有のエネルギー入力（Ｅ）と、これに関連する、前記ワークピース（１２）についての温度低減とがそれぞれ最小値をとるように、前記ワークピース（１２）の前記あらかじめ設定されたタイプについての前記表面プロセスモデルの前記目標データに依存して開ループ制御され、好ましくは閉ループ制御されることを特徴とする方法。
【請求項９】
前記データメモリ（２１）には、少なくとも１つのあらかじめ設定されたタイプによる前記ワークピース（１２）についての熱的なプロセスモデルの目標データがメモリされており、信号技術的に前記制御装置（２２）と接続された加熱装置（２．１；２．２）が前記ワークピース（１２）を加熱するために設けられており、前記ワークピース（１２）の温度が、前記ジェットノズル装置（１４；１４．１）に隣接して、及び近傍で測定されるとともに、比較演算によって、前記熱的なプロセスモデルの前記目標データによる目標温度と比較され、つづいて、前記加熱装置（２．１；２．２）の温度が、前記制御装置（２２）を用いて、前記ワークピース（１２）の測定された温度と、前記熱的なプロセスモデルの前記目標データによる前記ワークピースの目標温度とに依存して閉ループ制御され、その結果、前記ワークピース（１２）の測定された、あるいは実際の温度がその目標温度へ一致されること、並びに好ましくは、前記加熱装置（２．２）が前記ジェットノズル装置（１４；１４．１）の上流に配置されていることを特徴とする８に記載の方法。
【請求項１０】
前記液体（１８）を前記ジェットノズル（１６）へ供給する圧力及び／又は体積流量を、あらかじめ設定されたタイプによる前記ワークピース（１２）についての前記表面プロセスモデルの前記目標データへ適合させるために、前記ジェットノズル（１６）へ前記液体（１８）を供給する高圧ポンプユニット（２４）が、前記制御装置（２２）を用いて開ループ制御され、好ましくは閉ループ制御されることを特徴とする請求項８又は９に記載の方法。
【請求項１１】
前記制御装置（２２）と信号技術的に（２３．２）接続された表面検査装置（２６）が設けられており、該表面検査装置が、前記ワークピース（１２）の移動方向（Ｘ）に関して前記ジェットノズル装置（１４；１４．１）の下流において、該ジェットノズル装置の直近に配置されており、前記ワークピース（１２）の表面（２０）に残留したスケールが前記表面検査装置（２６）によって検出され、前記ワークピース（１２）の表面品質が、前記表面検査装置（２６）の信号に基づいて特定され、ワークピース（１２）の前記あらかじめ設定されたタイプについての前記表面プロセスモデルのあらかじめ設定された目標値と比較されるように、前記制御装置（２２）がプログラム技術的に設置されていることを特徴とする請求項８〜１０のいずれか１項に記載の方法。
【請求項１２】
前記表面検査装置（２６）の信号に基づき特定された表面品質の、あらかじめ設定されたタイプによるワークピース（１２）についての前記表面プロセスモデルの適当な目標値との比較に依存して、前記あらかじめ設定されたタイプの前記ワークピース（１２）の表面（２０）に前記ジェットノズル（１６）から噴射される前記液体（１８）によって負荷を与える特有のエネルギー入力（Ｅ）が前記制御装置（２２）を用いて開ループ制御され、好ましくは閉ループ制御されることを特徴とする請求項１１に記載の方法。
【請求項１３】
前記ワークピース（１２）の表面品質があらかじめ設定された目標値を下回る場合に、前記ジェットノズル（１６）へ供給される前記液体（１８）についての圧力及び／又は体積流量（Ｖ’）が増大されること、又は前記ワークピース（１２）の表面品質が前記あらかじめ設定された目標値を維持する限り、前記ジェットノズル（１６）へ供給される前記液体（１８）についての圧力及び／又は体積流量（Ｖ’）が低減されることを特徴とする請求項１２に記載の方法。
【請求項１４】
前記ワークピース（１２）の表面品質が前記表面プロセスモデルのあらかじめ設定された目標値を下回る場合に、前記ワークピース（１２）のその移動方向（Ｘ）における送り速度（ｖ）が低減されること、又は前記ワークピース（１２）の表面品質が前記表面プロセスモデルの前記あらかじめ設定された目標値を維持する限り、前記ワークピース（１２）のその移動方向（Ｘ）における送り速度（ｖ）が増大されることを特徴とする請求項１１〜１３のいずれか１項に記載の方法。
【請求項１５】
前記ジェットノズル装置（１４；１４．１；１４．２）が前記ワークピース（１２）の表面（２０）に対して有する間隔（Ａ）を、前記制御装置（２２）を用いて開ループ制御し、好ましくは閉ループ制御し、前記ワークピース（１２）の表面品質がワークピースの前記あらかじめ設定されたタイプについての前記表面プロセスモデルのあらかじめ設定された目標値を下回る場合に、前記ワークピース（１２）の前記表面（２０）に対する前記ジェットノズル装置（１４；１４．１；１４．２）の前記間隔（Ａ）が低減され、又は前記ワークピース（１２）の表面品質がワークピース（１２）の前記あらかじめ設定されたタイプについての前記表面プロセスモデルのあらかじめ設定された目標値を維持する限り、前記ワークピース（１２）の前記表面（２０）に対する前記ジェットノズル装置（１４；１４．１，１４．２）の前記間隔（Ａ）が拡大されることを特徴とする請求項１２〜１４のいずれか１項に記載の方法。
【請求項１６】
前記第１のジェットノズル装置（１４；１４．１）に隣接して配置された第２のジェットノズル装置（１４．２）が設けられており、前記ワークピース（１２）の表面品質が前記表面プロセスモデルの前記あらかじめ設定された目標値を下回る場合に、前記第１のジェットノズル装置（１４；１４．１）に加えて前記第２のジェットノズル装置（１４．２）がオンされ、そして、前記ワークピース（１２）のスケール除去を行うために、前記オンされた第２のジェットノズル装置（１４．２）から液体（１８）が高圧下で前記ワークピース（１２）の表面（２０）へ噴射されることを特徴とする請求項１１〜１５のいずれか１項に記載の方法。
【発明の詳細な説明】
【技術分野】
【０００１】
本発明は、請求項１の前提部分による、あらかじめ設定されたタイプのワークピースを生成する装置と、請求項８の前提部分による対応する方法とに関するものである。ワークピースは、特に熱間圧延製品である。
【背景技術】
【０００２】
従来技術によれば、ワークピース、特に熱間圧延製品のスケール除去のために、ワークピースの表面へ水を高圧で噴射することが知られている。ワークピースの表面の完全なスケール除去のために、高圧噴射水が通常はスケール除去装置の複数のノズルから噴射される。この関係において、スケール、すなわち酸化鉄から成る汚濁物を圧延製品の表面から除去するために設けられたアセンブリが熱間圧延設備におけるスケール除去装置と呼ばれる。
【０００３】
従来技術によれば、ワークピースを生成する生産設備は、これまで、ワークピースのスケール除去のためにあらかじめ設定され、生産設備の動作において変化しない一定の動作値が設定されるように動作する。このような動作態様の欠点は、適当な最大限のスケール除去を達成するために、スケール除去装置には常に最大の圧力で高圧水を供給されることにある。これにより、例えば大きな炭素含有量及び／又は合金成分のわずかな濃度を備えた、容易にスケール除去されるべき鋼製品において、エネルギー及び使用される高圧水の量についての無駄に大きな需要が生じてしまう。容易にスケール除去されるべき鋼製品についての別の欠点は、スケール除去装置のちょうど上述の動作態様により、ワークピースの温度が必要な度合いを超えて低下し、これにより、スケール除去後にワークピースを別の加工ステップの準備のために必要に応じて再加熱する場合に、ここでも大きな加熱エネルギー量が必要となってしまうことにある。同様に、上流の加熱過程の温度コントロールも損なわれてしまう。なぜなら、圧延製品が過剰に大きくあるいは強く加熱され、これにより、ここでも追加的なスケール構造に至るためである。これまでの変化しない生産設備の動作により、スケール除去過程は、これまでの公知の熱的なプロセスモデルにおいて、動的な構成要素として考慮されていなかった。
【０００４】
従来の生産設備において用いられる公知のプロセスモデルは、通常、生産設備における変形技術的な過程及び／又は熱的な過程を閉ループ制御及び開ループ制御する。このとき、多くの場合、変形技術的なプロセスモデルは、パススケジュール構成及び技術的な閉ループ制御によって、最適なストリップ幾何形状を達成するという目的をもって作用する。熱的なプロセスモデルは、目的に合った加熱過程及び冷却過程を介して組織構造の調整及び閉ループ制御に用いられる。
【発明の概要】
【発明が解決しようとする課題】
【０００５】
本発明の基礎となる課題は、エネルギー使用の最小化及びワークピースのスケール除去時の最小の温度低下が、変化しない最適な生産結果において達成されるように、単純な手段によってワークピースの生成を最適化することにある。
【課題を解決するための手段】
【０００６】
この課題は、請求項１に記載された特徴を有する装置及び請求項８による方法により解決される。本発明の有利な発展は、各従属請求項に規定されている。
【０００７】
本発明による装置は、あらかじめ設定されたタイプのワークピース、特に熱間圧延製品を生成するために用いられ、ワークピースのスケール除去を行うために、液体、特に水をワークピースの表面へ高圧下で噴射することが可能な複数のジェットノズルを有する少なくとも１つの第１のジェットノズル装置と、制御装置とを含んでおり、信号技術的に制御装置に接続されたデータメモリが設けられている。このデータメモリには、あらかじめ設定されたタイプによるワークピースについての表面プロセスモデルの目標データをメモリすることができる。スケール除去のために、ジェットノズルから噴射される液体によってワークピースの表面に負荷を与える特有のエネルギー入力が、該特有のエネルギー入力と、これに関連する、ワークピースについての温度低減とがそれぞれ最小値をとるように、ワークピースのあらかじめ設定されたタイプについての表面プロセスモデルの目標データに依存して、制御装置を用いて開ループ制御可能、好ましくは閉ループ制御可能である。
【０００８】
同様に、本発明は、あらかじめ設定されたタイプのワークピース、好ましくは熱間圧延製品を生成する方法も意図しており、このワークピースは、複数のジェットノズルを有する少なくとも１つの第１のジェットノズル装置に対して移動方向に沿って移動する。このとき、ワークピースのスケール除去を行うために、液体、特に水がワークピースの表面へ高圧下で噴射される。制御装置は信号技術的にデータメモリに接続されており、このデータメモリには、あらかじめ設定されたタイプによるワークピースについての表面プロセスモデルの目標データがメモリされている。スケール除去のために、ジェットノズルから噴射される液体によってワークピースの表面に負荷を与える特有のエネルギー入力が、該特有のエネルギー入力と、これに関連する、ワークピースについての温度低減とがそれぞれ最小値をとるように、ワークピースのあらかじめ設定されたタイプについての表面プロセスモデルの目標データに依存して、制御装置を用いて開ループ制御され、好ましくは閉ループ制御される。
【０００９】
本発明は、あらかじめ設定されたタイプのワークピースを生成するときに、これまで公知のプロセスモデル、例えば変形技術的なプロセスモデル及び／又は熱的なプロセスモデルを補足する新たな表面プロセスモデルの目標データを考慮するという本質的な認識に基づいている。このような表面プロセスモデルと、この表面プロセスのために設定された、少なくとも１つのあらかじめ設定されたタイプによるワークピースのための目標データとに基づいて、ジェットノズル装置から散布される液体によってワークピースの表面に負荷を与える特有のエネルギー入力が、常にワークピースのあらかじめ設定されたタイプに適合されるとともに、あらかじめ設定された質的なスケール除去結果がまさに達成されるまで制御装置を用いて適切に開ループ制御され、好ましくは閉ループ制御される。スケール除去の各動作パラメータから得られるワークピースの冷却は、連続的にプロセスモデルへ提供される。様々な鋼等級のスケール除去に必要な様々な強度と、ジェットノズル装置の本発明による開ループ制御／閉ループ制御に応じた特有のエネルギー入力の変更とにより、高圧下での水の噴射によるワークピースの冷却率が異なることとなる。
【００１０】
表面プロセスモデルと、この表面プロセスモデルのために設定された、少なくとも１つのあらかじめ設定されたタイプによるワークピースについての目標データとの統合により、全プロセスモデル内で、特に熱的なプロセスモデル内で、スケール除去の前又は後に配置されたプロセスステップの設定及び作動を新たに構成することが可能となる。これらプロセスステップは、特にスケール除去過程の前に設定された加熱装置の作動であり、及び／又はスケール除去過程の後に設定された別の加熱装置、多くは誘導ヒータの作動である。ワークピースをわずかな特有のエネルギー入力によってのみスケール除去することが必要な場合については、加熱装置の温度を低減させることができる。ワークピースをより大きな特有のエネルギー入力によってスケール除去することが必要な場合については、各加熱装置の温度を上昇させることが可能である。
【００１１】
このようにして、本発明による方法も実行される。
【００１２】
本発明は、あらかじめ設定されたタイプのワークピース、好ましくは熱間圧延製品を生成するための装置及び方法を意図したものである。本発明の範囲では、ワークピースについて質的にまさに十分なスケール除去結果を達成し、これにより生じるワークピース／熱間圧延ストリップの冷却効果を設備制御のための拡張されたプロセスモデルを介して用いるために、生産設備は、その動作パラメータがちょうど必要な特有のエネルギー入力へ開ループ制御及び／又は閉ループ制御されるように動作される。このとき、あらかじめ設定された表面及び通常はスケールのない表面を得る目的で、ワークピースのスケール除去のための例えばスケール除去装置あるいはジェットノズル装置の開ループ制御及び／又は閉ループ制御に表面プロセスモデルが影響を与え、特有のエネルギー入力及びこれに関連する温度低下は、できる限りわずかに調整又は閉ループ制御される。
【００１３】
生産設備は、例えば熱間圧延設備である。ワークピースは、熱間圧延製品あるいは熱間圧延ストリップであり得る。ワークピースは、その移動方向において、１つ又は複数の加熱過程、冷却過程、スケール除去過程及び変形過程にさらされる。
【００１４】
本発明により、あらかじめ設定されたタイプのワークピースを生成するときに、このワークピースのスケール除去のための少なくとも１つの第１のジェットノズル装置が、ワークピースの実際に処理されるタイプに常に適合して、例えば所定の鋼等級をもって動作されるという利点が得られる。この目的のために、ワークピースのこの所定のタイプについてのデータメモリには、特に表面プロセスモデルの関連する目標データがメモリされている。目標データをメモリすることは、あらかじめ設定された値に基づきメモリされることができるデータにも、またモデル内の演算過程により連続的に生成され得るデータにも関するものである。そして、この目標データは、制御装置によって読み出され、適切に処理される。ジェットノズル装置のこのような需要に応じた動作態様により、ワークピースの過剰なスケール除去も、また不十分なスケール除去も回避される。ワークピースのそれぞれ所定のタイプに対応して調整される可変の動作パラメータは、有利には、スケール除去過程中の可変の、すなわち好ましくは低減されたワークピースの冷却において表出する。
【００１５】
様々な鋼等級は、異なる大きさの炭素含有量により区別される。このとき、ワークピースのスケール除去が容易になればなるほど、炭素含有量が大きくなるという規則が当てはまる。このことは、特に、加えて比較的大きな炭素含有量を有する非合金の鋼についても当てはまる。この背景において、本発明により、スケール除去の目的でワークピースに負荷を与える特有のエネルギー入力が、常にワークピースの所定のタイプ、及び好ましくはその炭素含有量及び合金成分含有量に適合され、これにより、水及びエネルギーの削減が保証されている。
【００１６】
本発明の有利な発展においては、ワークピースを加熱する加熱装置と、第１のジェットノズル装置に隣接して、及び近傍に配置された温度測定装置とが設けられており、加熱装置及び温度測定装置は、それぞれ信号技術的に制御装置に接続されている。温度測定装置を用いて、ワークピースの温度をその表面において測定することが可能である。この関係において、同様に、このデータメモリには、特に、少なくとも１つのあらかじめ設定されたタイプによるワークピースについての表面プロセスモデルの目標データもメモリされるようになっている。このとき、制御装置は、温度測定装置を用いて測定されたワークピースの温度が熱的なプロセスモデルの目標データによる目標温度と比較されるようにプログラム技術的に設置されており、この比較に基づき、加熱装置の温度が閉ループ制御可能であるか、あるいは閉ループ制御される。これにより、ワークピースの測定された温度、あるいは実際の温度がその目標温度へ一致されるという利点が得られる。合目的には、このとき、加熱装置は、ワークピースの移動方向に関して第１のジェットノズル装置の上流に配置されることができる。
【００１７】
スケール除去のための高圧液体の上述の最小の特有の体積流量の結果、最小限必要な熱量のみがワークピースから除去される。このような低減された冷却により、以下の利点が得られる：
【００１８】
−ジェットノズル装置の上流に配置された加熱装置あるいは炉の最終温度と、スケール除去装置の上流又はロールスタンドの可変の数による中間加熱に対して下流に設けられた誘導ヒータの最終温度の低減。これにより、炉あるいは誘導ヒータの加熱出力についての直接的なエネルギー削減が得られ、これにより、炉ローラが設けられている場合には、炉ローラの寿命も延長される。
−加熱装置あるいは炉の温度を維持する場合に、変形過程に必要なエネルギー需要が低減され、すなわち、ワークピースの低減された冷却に基づくワークピースのより高い温度により変形過程に必要なエネルギー需要が低減される。
−炉の温度が維持され、生じるより高い温度が低減された最終厚さを有するワークピースあるいは圧延製品を生成するために使用される場合の、生成されるべきワークピースについての製品範囲の拡大。
【００１９】
本発明の有利な発展においては、信号技術的に制御装置に接続された表面検査装置を設けることができ、この表面検査装置は、ワークピースの移動方向に関して、ジェットノズル装置の下流において、このジェットノズルの直近に配置されている。制御装置は、表面検査装置の信号に基づいてワークピースの表面品質を特定し、この表面品質が、ワークピースのあらかじめ設定されたタイプについての表面プロセスモデルのあらかじめ設定された目標値と比較されるように、プログラム技術的に設置されている。この態様においては、本発明に実行に際して、表面プロセスモデルのあらかじめ設定された目標値と比較することで、ワークピースのスケール除去品質の直接的なチェックを行うことが可能である。
【００２０】
本発明の有利な発展においては、ジェットノズル装置のジェットノズルと連通し、ジェットノズルに液体を供給する、信号技術的に制御装置と接続された高圧ポンプユニットが設けられている。高圧ポンプユニットは、液体をジェットノズルへ供給する圧力及び／又は体積流量が特にあらかじめ設定されたタイプによるワークピースについての表面プロセスモデルの目標データへ適合されるように、制御装置を用いて開ループ制御され、好ましくは閉ループ制御される。例えばワークピースの表面品質が表面プロセスモデルのあらかじめ設定された適当な目標値を上回るべき場合には、ジェットノズルへ供給される液体についての圧力及び／又は体積流量が対応して低減される。このことは、逆の場合についての同様である。ワークピースの表面品質が表面プロセスモデルのあらかじめ設定された対応する目標値を下回るべき場合には、ジェットノズルへ供給される液体についての圧力及び／又は体積流量が対応して増大される。この態様においては、ちょうど十分なスケール除去結果に必要な値にのみ特有のエネルギー入力が設定されることが保証される。上述のように、これにより、エネルギーが削減され、同時にワークピースの過剰な冷却が防止される。
【００２１】
高圧ポンプユニットのできる限り正確な作動のために、この高圧ポンプユニットが少なくとも１つの周波数制御器を備えていれば合目的である。
【００２２】
上述のように、スケール除去されるべきワークピースの表面品質が表面検査装置を用いて特定され、この表面品質が表面プロセスモデルの適当な目標値と比較される場合には、本発明の有利な発展によれば、あらかじめ設定されたタイプのワークピースの表面へジェットノズルから散布あるいは噴射される液体によって負荷を与える特有のエネルギー入力を、上記比較に依存して、制御装置を用いて開ループ制御、好ましくは閉ループ制御することが可能である。
【００２３】
本発明の有利な発展においては、ワークピースの表面品質が表面プロセスモデルのあらかじめ設定された目標値を下回る場合に、ワークピースの移動方向におけるワークピースの送り速度を低減させることが可能である。逆の推論では、ワークピースの表面品質が表面プロセスモデルのあらかじめ設定された目標値をまだ維持する限り、ワークピースの移動方向におけるワークピースの送り速度を増大させることも可能である。これにより、本発明について、ワークピースの生成時の向上した生産性が保証される。なぜなら、上述のように、ワークピースが生産設備において移動する送り速度が、ワークピースについてのスケール除去品質が表面プロセスモデルのあらかじめ設定された目標値をまだ維持する限界値の方向において高められるためである。
【００２４】
本発明の有利な発展においては、ワークピースの表面に対してジェットノズル装置が有する間隔を、制御装置を用いて開ループ制御、好ましくは閉ループ制御することが可能である。その過程で、ワークピースの表面品質があらかじめ設定されたタイプについての表面プロセスモデルのあらかじめ設定された目標値を下回れば、ワークピースの表面に対するジェットノズル装置の間隔が低減される。逆の推論では、ワークピースの表面品質がワークピースのあらかじめ設定されたタイプについての表面プロセスモデルのあらかじめ設定された目標値を維持する限り、ワークピースの表面に対するジェットノズル装置の間隔が増大される。この態様では、表面プロセスモデルの目標データによる所望のスケール除去品質を達成するために、ジェットノズル装置が圧延製品表面に対して設けられたジェットノズルの間隔が、小さすぎるわけではなく、高圧液体によってワークピースの表面のスケール除去を行うための特有のエネルギー入力がまだ十分大きい値へ設定されることが、本発明により保証される。
【００２５】
本発明の有利な発展においては、第１のジェットノズル装置に隣接した配置された、複数のジェットノズルを有する第２のジェットノズル装置を設けることが可能である。ワークピースの表面品質が表面プロセスモデルのあらかじめ設定された目標値を下回る場合には、ワークピースのスケール除去の目的で、第２のジェットノズル装置からもワークピースの表面へ液体を高圧下で散布するために、この第２のジェットノズル装置を、第１のジェットノズル装置に加えてオンすることができる。したがって、ワークピースのスケール除去が第１のジェットノズル装置の動作によるだけでは不十分であり、いずれにしてもワークピースについての所望の表面品質が達成されない場合には、上述のように、ワークピースのスケール除去を最適化あるいは強化するために、第２のジェットノズル装置が更にオンされる。
【００２６】
本発明の別の利点は、低減されたメンテナンスコスト及びジェットノズルの低減された摩耗にある。同様に、高圧ポンプユニットの寿命も延長され、この高圧ポンプユニットのメンテナンスコストが上述の低減された圧力レベルにより同様に低減される。
【００２７】
以下に、本発明の様々な実施形態及びその詳細を概略化し簡略化した図面に基づいて詳細に説明する。
【図面の簡単な説明】
【００２８】
【図１】本発明を実行可能な生産設備の原理的に簡略化された側面図である。
【図２】表面プロセスモデルと、熱的なプロセスモデルと、変形技術的なプロセスモデルと、これらプロセスモデルが互いにどのように通信するかという動作態様とを明確に示すための図である。
【図３】本発明を実行するためのフローチャートである。
【図４】信号技術的な接続を有する本発明による装置の概略的な側面図である。
【図５】別の実施形態に基づく本発明による装置の原理的に簡略化された平面図である。
【図６】本発明の実施を明確に示すブロック図である。
【図７】本発明の実施を明確に示すブロック図である。
【発明を実施するための形態】
【００２９】
本発明は、あらかじめ設定されたタイプのワークピースを生成するための装置及び方法を意図したものである。このために生産設備１が設けられており、この生産設備の構成要素が、図１において概略的で簡易化された側面図で図示されている。この生産設備１ではワークピース１２が生成され、このワークピースは、好ましくは熱間圧延ストリップである。ワークピース１２を、以下では常に熱間圧延ストリップと呼ぶが、これに限定されるものではない。熱間圧延ストリップ１２は、所定の移動方向において、生産設備１を通って移動し、この移動は、図１では符号「Ｘ」を有する矢印で象徴化されている。
【００３０】
生産設備１は、とりわけ、以下の構成要素を含んでいる：
−図１では符号２．１及び２．２を有する、以下では単に「ヒータ」と呼ばれる複数の加熱装置、
−以下ではそれぞれ一般的に「ジェットノズル装置」と呼ばれ符号１４を有する複数のスケール除去装置、
−熱間圧延ストリップ１２が冷却、加熱及び／又はスケール除去され得る中間スタンド範囲６、
−熱間圧延ストリップ１２の移動方向Ｘに見て中間スタンド範囲６の下流に配置された１つ又は複数の冷却装置７、
−冷却装置７の下流に配置された切断機８、及び
−熱間圧延ストリップ１２を巻き取るための巻取り装置９。
【００３１】
ジェットノズル装置１４は、複数のジェットノズル１６を含んでいるとともに、図４及び図５を参照して詳細について後述される本発明による装置１０の一部である。ここで、熱間圧延ストリップの表面を適切にスケール除去するために、装置１０及びそのジェットノズル装置１４を用いて液体１８、好ましくは水が高圧下で熱間圧延ストリップ１２へ噴射されることにあらかじめ言及しておく。
【００３２】
本発明の実行のために、すなわち、本発明による装置１０及び対応する方法の動作時に、場合によっては熱的なプロセスモデル及び変形技術的なプロセスモデルに対して補足的に設けられる表面プロセスモデルが重要である。これらプロセスモデルは、図２の図表において見て取れる。この図表には、これら個々のプロセスモデルについての本質的なパラメータがマトリクスの形態で挙げられている。
【００３３】
表面プロセスモデルは、熱間圧延ストリップ１２のための最小のエネルギー使用においてあらかじめ設定された表面品質が達成されることを基礎としている。このために、少なくとも１つのあらかじめ設定されたタイプによる熱間圧延ストリップ１２についての表面プロセスモデルの目標データが、装置のデータメモリ２１（図４参照）にメモリされている。
【００３４】
熱的なプロセスモデルは、簡易化して定式化されて、熱間圧延ストリップ１２の組織構造（微細構造）に適合し、熱間圧延ストリップ１２のための加熱／冷却に関連している。
【００３５】
変形技術的なプロセスモデルは、簡易化して定式化されて、とりわけパススケジュール演算装置（計算機、コンピュータ）、生産設備１のための設備セットアップ及び幾何学的なストリップ品質に関するものである。
【００３６】
図２によるマトリクスにおいて見られるように、上述の３つの全てのプロセスモジュールのためにアクチュエータが設けられている。さらに、図表は、横方向において個々の双方向矢印で象徴化されているように、個々のプロセスモデル間の可能な相互作用を明確に示している。
【００３７】
図３にはフローチャートが示されており、このフローチャートに基づき本発明を実行することができる。詳細には、上述の３つのプロセスモデルを有する制御ループが図３において明確に示されている。スケール除去後に熱間圧延ストリップ１２の表面がスケール除去品質についてチェックされることが本質的に重要である。このことは、本発明の範囲においては表面検査装置２６（図４参照）によって行われ、この表面検査装置は、熱間圧延ストリップ１２の移動方向Ｘに関してジェットノズル装置１４の下流において、この直近に配置されている。表面検査装置２６によって測定された熱間圧延ストリップ１２の表面の品質は、表面プロセスモデルのあらかじめ設定された目標値と比較される。このために制御装置２２が設けられており、この制御装置には、表面プロセスモデルの目標データをメモリしているデータメモリ２１が信号技術的に接続されている。
【００３８】
図の右方において示され、「目標結果達成？」という項目を有する図３による判断部（ひし形）により、熱間圧延ストリップ１２の表面において測定された表面品質が目標値を達成していない場合には、スケール除去のために、ジェットノズル１８から噴射される液体によって熱間圧延ストリップ１２のこの表面に負荷を与える特有のエネルギー入力が高められる。必要であれば、各プロセスモデルの関連するアクチュエータがこの目的のために適合される。
【００３９】
これに対して、熱間圧延ストリップ１２において表面検査装置２６によって測定された品質がこれについてあらかじめ設定された目標結果を達成している場合には、判断部から下方へ分岐した「イエス」により、熱間圧延ストリップ１２のスケール除去のための特有のエネルギー入力が低減されることが明確に示されている。同様に、必要であれば、各プロセスモデルの関連するアクチュエータがこれに適合される。したがって、必要なスケール除去品質の達成にまさに必要であるように、熱間圧延ストリップ１２の表面が常にこのように高い特有のエネルギー入力をもって、高圧下で散布される液体によって負荷を受けることが本発明によって保証される。これにより、スケール除去に必要なエネルギー及び液体の量の削減も、また熱間圧延ストリップ１２のできる限りわずかな冷却も達成される。
【００４０】
図３によるフローチャートは、熱間圧延ストリップ１２をスケール除去する所望の特有のエネルギー入力Ｅを設定するか、あるいは調整するための制御ループを明確に示している。このとき、熱間圧延ストリップ１２についての表面品質があらかじめ設定された（図３では「目標結果」と呼ばれる）目標値が達成されるまで、上述の可能性が行われるか、あるいは適用される。
【００４１】
図４には、本発明による装置１０の一実施形態が原理的に単純化された側面図で示されている。この実施形態によれば、装置１０はいわゆるロータスケール除去装置の形態で形成されており、このロータスケール除去装置では、ジェットノズル装置１４がロータヘッドの形態を備えており、このロータヘッドは、図４では単純化して「Ｍ」で象徴化された駆動手段によって回転軸線Ｒ周りに回転する。上述のように、ジェットノズル装置には複数のジェットノズル１６が設けられており、これらジェットノズルから、それぞれ液体が噴射方向Ｓにおいて熱間圧延ストリップ１２の表面２０へ噴射される。ロータヘッド１４は、その回転軸線Ｒについて垂直方向に対して角度Ｙだけ傾斜して配置されており、その結果、噴射方向Ｓは、熱間圧延ストリップ１２の表面２０に対する直交線と角度αをなしているとともに、移動方向Ｘに対して反対へ向けられている。
【００４２】
ジェットノズル装置１４の駆動手段Ｍは信号技術的に制御装置２２に接続されており、これは、図４の図示において点線２３．３で象徴化されている。これにより、ジェットノズル装置１４のロータ回転数の制御がなされる。
【００４３】
図４の図示では、熱間圧延ストリップ１２が装置１０において傍らを移動し、また装置のジェットノズル装置１４が傍らを移動する移動方向が、同様に矢印「Ｘ」で象徴化されている。さらに、ここでは、熱間圧延ストリップについての送り速度が「ｖ」で示されている。
【００４４】
ジェットノズル装置１４は、例えば、図４において単純化して双方向矢印「Ｈ」で象徴化されている高さ調整可能なブラケットに取り付けることで、高さ調整可能に形成されている。このようなブラケットＨは、アクチュエータ（図面には不図示）を備えることが可能である。このアクチュエータは信号技術的に制御装置２２に接続されており、図４では点線２３．５で象徴化されている。したがって、必要であれば、ジェットノズル装置１４が熱間圧延ストリップ１２の表面２０に対して有する間隔Ａは、このアクチュエータの作動によって制御装置２２を用いて調整されることができる。間隔Ａの低減時あるいは増大時には、これに対応して、液体１８を熱間圧延ストリップ１２の表面２０へ噴射する、生じる特有のエネルギー入力が増大あるいは低減される。
【００４５】
装置１０は高圧ポンプユニット２４を含んでおり、この高圧ポンプユニットは制御装置２２に信号技術的に接続されており、これが図４において点線２３．１によって象徴的に明示されている。このとき、ジェットノズル装置１４のジェットノズル１６は、接続管路あるいは圧力供給管路Ｄを介して高圧ポンプユニット２４に接続されているため、ジェットノズル１６には、この圧力供給管路Ｄを通して液体が供給される。高圧下でジェットノズル１６から熱間圧延ストリップ１２の表面２０へ噴射される液体１８は、好ましくは水であるが、本発明において媒体である水に限定するとみなされるべきではない。
【００４６】
高圧ポンプユニット２４の少なくとも１つのポンプは、周波数制御器２５を備えている。これにより、液体１８をジェットノズル１６へ供給する圧力を小さなステップにおいても変更するために、高圧ポンプユニット２４を制御装置２２によって特に無段階に作動させることが可能である。
【００４７】
上述のように、装置１０のデータメモリ２１も同様に制御装置２２に信号技術的に接続されている。これは、図４において点線２３．４で象徴化されている。データメモリ２１には、少なくとも１つのあらかじめ設定されたタイプによる熱間圧延ストリップ１２のためのプロセスモデル、特に表面プロセスモデルの目標データがメモリされている。好ましくは、データメモリ２１には、熱間圧延ストリップ１２の複数の異なるあらかじめ設定されたタイプについてのプロセスモデルについての目標データがメモリされている。本発明の意味合いにおいては、ワークピースあるいは熱間圧延ストリップ１２のあらかじめ設定されたタイプは、例えば、それぞれスケール除去されるべき熱間圧延ストリップの種類に応じて、あるいは異なる鋼等級について異なり得る材料等級及び材料厚さと理解される。この関係において、各熱間圧延ストリップ１２についての炉内待機時間及び炉雰囲気も重要である。
【００４８】
表面検査装置２６は光学的な測定原理に基づくことができ、この測定原理では、熱間圧延ストリップ１２の表面２０について３Ｄ測定がなされ、これに基づき熱間圧延ストリップ１２の表面２０についての高さプロファイルが導出される。
【００４９】
さらに、図４の図示は、表面検査装置２６が熱間圧延ストリップ１２の移動方向Ｘに関してジェットノズル装置１４の下流に配置されているとともに、点線２３．２で象徴化されているように制御装置２２と信号技術的に接続されていることを明示している。したがって、表面検査装置２６と、制御装置２２における適当な評価とを用いて、熱間圧延ストリップ１２の表面２０におけるスケールあるいは残留スケールを検出することが可能である。このようにして、表面検査装置２６は、スケール検出装置の機能を果たす。この目的のために、熱間圧延ストリップ１２の上側も、また下側もチェックあるいは分析され得るように表面検査装置２６が形成されている。
【００５０】
加えて、ここで、表面検査装置２６は、スペクトル分析の測定原理に基づくことも可能であることに言及しておく。
【００５１】
図４による実施形態に関して、ここでは、ロータスケール除去装置としてのジェットノズル装置１４の形成が本発明の説明のために例示的にのみ理解されるべきことを強調しておく。このことは、ジェットノズル装置１４が同様に固定された噴射バーの形態、すなわちロータヘッドなしでも形成されることができることを意味し、個々のジェットノズルは、位置固定されて熱間圧延ストリップの表面２０の方向へ向けられている。
【００５２】
熱間圧延ストリップ１２についての送り速度ｖを調整あるいは変更することができるように、制御装置２２も同様に装置１０の適当な手段に信号技術的に接続されている。これは、図４において点線２３．６で象徴化されている。
【００５３】
図５には、本発明による装置１０の一実施形態が原理的に単純化された平面図で示されている。図４におけるものと同一の特徴には、ここではそれぞれ同一の符号が付されている。図５による平面図は、図１の生産設備１の部分範囲であり得る。
【００５４】
図５の実施形態では、符号１４．１で第１のジェットノズル装置が示されており、この第１のジェットノズル装置は、図４による実施形態であり得る。さらに、熱間圧延ストリップ１２の移動方向Ｘに見て第１のジェットノズル装置１４．１の下流には、第２のジェットノズル装置１４．２が配置されており、この第２のジェットノズル装置は、例えば複数のジェットノズル１６を有する固定された冷却バーの形態で形成されることができる。両ジェットノズル装置１４．１，１４．２は、図４に関連して上述したように、そのジェットノズル１６と共に高圧ポンプユニット２４に接続されている。
【００５５】
図５の実施形態では、表面検査装置２６は、第２のジェットノズル装置１４．２の下流に配置されているとともに、同様に上述したように、信号技術的に制御装置２２に接続されている。
【００５６】
本発明の通常動作においては、図５の実施形態について、液体１８が単独で第１のジェットノズル装置１４．１のジェットノズル１６から熱間圧延ストリップ１２の表面２０へ高圧下で噴射されるように設定されている。換言すれば、このとき、第２のジェットノズル装置１４．２は差し当たり動作していない。この第２のジェットノズル装置１４．２は、後述するように、必要な場合にオンされる。
【００５７】
高圧下における液体１８、好ましくは水の噴射により、ワークピース１２の表面２０が特有のエネルギー入力Ｅ（あるいは「噴射エネルギー」）で負荷を受け、このエネルギー入力は、以下のとおり特定される：
【００５８】
【数１】
2019512398.tif 000003
【００５９】
ここで、
Ｅ：特有のエネルギー入力［ｋＪ／ｍ２］
Ｉ：衝撃圧［Ｎ／ｍｍ２］
Ｖ’ｓｐｅｚ（「’」は数式中の文字上に記載されたドットを意味する。以下同じ。）：熱間圧延ストリップの幅のメートルごとの特有の体積流量［ｌ／ｓ・ｍ］
ｖ：熱間圧延ストリップの送り速度［ｍ／ｓ］
である。
【００６０】
ここで、液体１８が熱間圧延ストリップ１２の表面２０に当たる衝撃圧は、液体がジェットノズル１６から噴射される圧力及び体積にも、また、熱間圧延ストリップ１２の表面２０からのジェットノズル１６の間隔にも依存するものである。
【００６１】
さらに、特有の体積流量Ｖ’ｓｐｅｚは以下のとおり特定される：
【００６２】
【数２】
2019512398.tif 000004
【００６３】
ここで、
Ｖ’ｓｐｅｚ：熱間圧延ストリップの幅のメートルごとの特有の体積流量［ｌ／ｓ・ｍ］
Ｖ’：噴射される液体の体積流量［ｌ／ｓ］
ｂ：移動方向Ｘにおける噴射幅［ｍ］
である。
【００６４】
本発明は、以下のように機能する：
【００６５】
熱間圧延ストリップ１２の表面２０の所望のスケール除去のために、この熱間圧延ストリップは、本発明による装置１０に対して移動方向Ｘにおいて移動する。このとき、液体１８が、ジェットノズル１６から高圧下で熱間圧延ストリップ１２の表面２０へ、好ましくはその上側にも、またその下側にも噴射される。
【００６６】
スケール除去されるべき熱間圧延ストリップ１２の複数のあらかじめ設定されたタイプについてのプロセスモジュール、特に表面プロセスモジュールの目標データがデータメモリ２１にメモリされていることを上述した。加えて、データメモリには、熱的なプロセスモデル及び／又は変形技術的なプロセスモデルについての目標データもメモリすることができ、これについて、図２のフローチャート及び対応する説明において言及している。
【００６７】
（不図示の）操作パネル又はこれに類するものにより、熱間圧延ストリップ１２のどのタイプが装置１０の傍らあるいはそのジェットノズル装置１４の傍らを実際に移動するかを設定することができる。これに基づき、熱間圧延ストリップ１２のまさにこのタイプについての目標データを、制御装置２２によって読み出すことができるとともに、プリセット設定としてスケール除去装置あるいはジェットノズル装置１４の動作のために用いることが可能である。
【００６８】
図６及び図７には、それぞれ本発明の更なる説明のためのブロック図が示されている。
【００６９】
ジェットノズル装置１４（図６では「スケール除去装置」で示されている）に隣接して、及び近傍において、熱間圧延ストリップ１２の温度が測定され、測定されたこの温度が「Ｔ１」で示されている。さらに、目標温度が「Ｔ２」で示されており、この目標温度は、例えばワークピース１２のあらかじめ設定されたタイプの熱的なプロセスモデルによってデータメモリ２１にメモリされている。これに基づき、制御装置２２を用いて比較演算が実行され、この比較演算時には、測定された温度Ｔ１が目標温度Ｔ２と比較される。
【００７０】
図６のブロック図によれば、熱間圧延ストリップ１２の移動方向Ｘに関してジェットノズル装置１４の上流には炉４６が配置されている。この炉は、図１のヒータ２．１であり得る。炉４６は、当該炉４６の温度が制御装置２２によって調整され得るように、信号技術的に制御装置２２と接続されている。このような設備構成は、図７の図示において象徴化し単純化して示されている。加えて、例えばジェットノズル１４と炉４６の間に加熱装置４８を設けるように構成することが可能である。
【００７１】
図７における図示によれば、図６に関連して説明したようにジェットノズル装置１４に隣接して、及び近傍で測定されるワークピース１２の温度は、ジェットノズル装置１４（図７では「スケール除去装置」として示されている）の下流でも、また上流でも測定されることが可能である。このことは、図７において、ＴＡ（＝上流）あるいはＴＢ（＝下流）によって象徴化されている。このとき、これら測定される両温度ＴＡ及びＴＢは、互いに関連付けられ、つづいて、あらかじめ設定されたタイプの熱間圧延ストリップの目標温度Ｔ２と比較される。
【００７２】
図７のブロック図は、図５の実施例において同様に示し、説明したように、ワークピース１２の移動方向Ｘに沿って相前後して配置された複数のジェットノズル装置１４を設けることが可能であることを明確に示している。図７において右方の図示範囲において示されたジェットノズル装置１４の上流及び下流において測定される温度は、ここではそれぞれ「Ｔｎ」及び「Ｔｎ＋１」で示されている。
【００７３】
図７では、様々なロールスタンドが「Ｗ」によって象徴化されており、これらロールスタンドＷの間には、それぞれ本発明によるスケール除去装置あるいはジェットノズル装置１４が配置されている。
【００７４】
スケール除去後に被圧延材温度を、このためにそれぞれひつような液体１８の体積流量に基づき実際に行われる熱間圧延ストリップ１２の冷却へ目的に合わせて変更するために、実際の温度Ｔ１あるいは実際の温度ＴＡ及びＴＢを目標温度Ｔ２と比較する比較演算に基づき、被圧延材温度を、制御装置２２を用いて、例えば炉温度あるいは誘導加熱温度の適切な制御によって調整することが可能である。
【００７５】
これに加えて、及び／又はこれに代えて、図６あるいは図７によるブロック図について、炉４６の温度を、プロセスモデルの実際の温度Ｔ１（あるいはＴＡ及びＴＢ）及び目標温度Ｔ２に関する比較演算に依存して制御装置２２を用いて調整あるいは制御することが可能である。このことは、図６に図示された制御ループによって明確に示されている。
【００７６】
図５の実施形態あるいは図７のブロック図を参照して、本発明によれば、図５の実施形態では符号「１４．２」で示された追加的なジェットノズル装置を必要があればオンすることが可能であることに個別に言及しておく。このことは、熱間圧延ストリップ１２についての表面品質が表面プロセスモデルのあらかじめ設定された目標値を下回るべき場合には第２のジェットノズル装置１４．２がオンされることを意味し、その結果、熱間圧延ストリップのスケール除去を行うために、第１のジェットノズル装置１４．１のジェットノズル１６からも、また第２のジェットノズル装置１４．２のジェットノズル１６からも液体１８が高圧下で熱間圧延ストリップ１２の表面２０へ噴射される。もはや必要なくなると、すなわち熱間圧延ストリップ１２についての必要な表面品質が再び満たされると、第２のジェットノズル装置１４．２のオンが再び取り消される。換言すれば、このとき、第２のジェットノズル装置１４．２は、再びオフされるか、あるいは動作停止される。
【００７７】
本発明の通常動作においては、唯一のジェットノズル装置、上述の例では第１のジェットノズル装置１４．１のみが用いられるという事実は、エネルギー、高圧水の削減に貢献するとともに、熱間圧延ストリップのスケール除去時に熱間圧延ストリップ１２の所望の最小な冷却を保証するものである。
【００７８】
本発明の実行時には、装置１０の動作パラメータの適合も行うことができる。制御装置２２を用いて高圧ポンプユニット２４の適切な作動によって、液体１８がジェットノズル１６へ供給される圧力は、認識可能な残留スケールが最小の特有のエネルギー入力Ｅを下回るまで低減され、そして、この圧力は容易に再び上昇される必要がある。このとき、ジェットノズル１６へ供給される液体１８についての圧力は、表面品質が表面プロセスモデルのあらかじめ設定された目標値に達する十分大きな値へ設定される。
【００７９】
これに加えて、及び／又はこれに代えて、特有のエネルギー入力Ｅの変更も、熱間圧延ストリップ１２に対するジェットノズル装置の間隔Ａを変更することで行われる。この目的のために、ブラケットＨ（図４参照）のサーボモータが制御装置２２によって適切に作動される。例えば、間隔Ａの拡大により特有のエネルギー入力Ｅが低減され、またその逆も同様である。
【００８０】
最後に、本発明の別の実施形態によれば、データメモリ２１にメモリされた各プロセスモデルの目標データについての、装置１０についての個々の動作パラメータに関する認識（情報）を考慮するか、あるいは目標データをこの認識（情報）に適合させることが可能である。この目的のために、熱間圧延ストリップ１２の所定のタイプについての、データメモリ２１にメモリされた目標データを、制御装置２２を用いて適合あるいは書き換えることが可能である。本発明による装置１０のこのような動作態様は、データメモリ２１と制御装置２２の間の信号技術的な接続２３．４（図４参照）についての双方向矢印によって象徴化されているとともに、データメモリ２１及びこのデータメモリにメモリされたプロセスモデルの目標データに関するいわゆる「ティーチイン（Ｔｅａｃｈ−ｉｎ）」に対応している。
【符号の説明】
【００８１】
１                  生産設備
２．１；２．２      ヒータ
４                  粗圧延機
６                  中間スタンド範囲
７                  冷却装置
８                  切断機
９                  巻取り装置
１０                （本発明による）装置
１２                ワークピース（特に熱間圧延ストリップ）
１３                （ワークピースの）側方の縁部
１４                ジェットノズル装置
１４．１            第１のジェットノズル装置
１４．２            第２のジェットノズル装置
１６                ジェットノズル
１８                液体
２０                （ワークピース１２の）表面
２１                データメモリ
２２                制御装置
２３．１〜２３．６  信号技術的な接続
２４                高圧ポンプユニット
２５                周波数制御器
２６                表面検査装置
Ａ                  ワークピースの表面に対するジェットノズル装置１４の間隔
Ｄ                  圧力供給管路
Ｌ                  （ジェットノズルの）長手軸線
Ｒ                  回転軸線
Ｓ                  噴射方向
ｖ                  （ワークピースの）送り速度
Ｘ                  （ワークピースの）移動方向
【図１】
2019512398.tif 000005
【図２】
2019512398.tif 000006
【図３】
2019512398.tif 000007
【図４】
2019512398.tif 000008
【図５】
2019512398.tif 000009
【図６】
2019512398.tif 000010
【図７】
2019512398.tif 000011
【国際調査報告】
2019512398.tif 000012
2019512398.tif 000013
2019512398.tif 000014
2019512398.tif 000015